(57)【要約】【課題】効率の高い手持ちツール装置のツールチャックにおける破損および磨耗を軽減するツールチャックを得る。【解決手段】ツール装置のツールを収容するツールチャックであり、案内直径Ｄを有する中空シリンダ形状の収容スリーブ３における、直径方向に互いに対向して、半径方向内方に突出し、かつある長さＬにわたり半径方向に延在する接触面５を有する枠縁状の少なくとも２個の回転伝達ウェブ４ａ，４ｂと、収容スリーブ３の少なくとも１個の空所６にわたり半径方向に移動自在にした錠止体（２）とを有する該ツールチャックにおいて、回転伝達ウェブ４ａ，４ｂの収容開口側端部は、空所６の収容開口側端縁からの離間距離Ｘを有し、この離間距離Ｘは、前記案内直径Ｄの１．５倍よりも大きい値とする。好適には、回転伝達ウェブ４ａ，４ｂの長さＬを、案内直径Ｄの少なくとも３倍とする。【選択図】図１
2006136999.tif 000002
【特許請求の範囲】
【請求項１】
ツール装置のツールを収容するツールチャックであり、案内直径（Ｄ）を有する中空シリンダ形状の収容スリーブ（３）における、直径方向に互いに対向して、半径方向内方に突出し、かつある長さ（Ｌ）にわたり半径方向に延在する接触面（５）を有する枠縁状の少なくとも２個の回転伝達ウェブ（４ａ，４ｂ）と、収容スリーブ（３）の少なくとも１個の空所（６）にわたり半径方向に移動自在にした錠止体（２）とを有する該ツールチャックにおいて、前記回転伝達ウェブ（４ａ，４ｂ）の収容開口側端部は、空所（６）の収容開口側端縁からの離間距離（Ｘ）を有し、この離間距離（Ｘ）は、前記案内直径（Ｄ）の１．５倍よりも大きい値としたことを特徴とするツール装置のツールチャック。
【請求項２】
回転伝達ウェブ（４ａ，４ｂ）の長さ（Ｌ）を、案内直径（Ｄ）の少なくとも３倍とした請求項１記載のツール装置のツールチャック。
【請求項３】
収容スリーブ（３）の収容開口側端面から回転伝達ウェブ（４ａ，４ｂ）までの導入距離（Ｙ）を、最大でも案内直径（Ｄ）の１／２の値とした請求項１または２記載のツール装置のツールチャック。
【請求項４】
回転伝達ウェブ（４ａ，４ｂ）の回転方向（ω）に指向するすべての接触面（５）の総面積Σを、案内直径（Ｄ）の２乗した値と２乗値の半分の値との範囲内の値とした請求項１乃至３のうちのいずれか一項に記載のツール装置のツールチャック。
【発明の詳細な説明】
【技術分野】
【０００１】
本発明は、ツール装置、とくに、ハンマードリル装置用の打撃ドリルツールを収容チャックする半径方向に移動自在の錠止体を有するツールチャックに関するものである。
【０００２】
打撃駆動および回転駆動するツールの差し込み端部は、通常、形状ロックで回転不能かつ軸線方向に制限範囲内で移動自在にツールチャックに挿入し、差し込み端部に設けた装置側が閉じた溝内に突入するよう半径方向に移動自在の少なくとも１個の錠止体によって差し込み端部を錠止する。
【背景技術】
【０００３】
中空シリンダ形状の収容スリーブの案内直径内面から半径方向内方にある高さで突出する枠縁状の回転伝達ウェブと、半径方向に移動自在の錠止体を設けたツールチャックは、知られている。（例えば、特許文献１および特許文献２参照。）これらの既知のツールチャックにおける回転伝達ウェブは、収容開口側から錠止体の空所の収容開口側端縁まで軸線方向の長さにわたり延在し、この軸線方向長さは案内直径にほぼ対応する寸法にしている。
【特許文献１】独国特許１９，７２４，５３１号公報
【特許文献２】独国特許  ３，２０５，０６３号公報
【０００４】
現在ハンマードリル装置で世界的に使用されている現行の標準的な差し込み端部およびこの差し込み端部を受け入れるツールチャックとして、収容開口側に案内直径が１０ｍｍのシリンダ状の案内面に、遊端面に向かって軸線方向に閉じた錠止溝と、遊端面まで軸線方向に開放した台形断面形状の回転伝達溝を設けるものがある。（例えば、特許文献３参照。）ツールチャック内において少なくとも１個の半径方向に移動自在の錠止体が錠止溝に掛合し、ツールチャック内におけるツールの軸線方向の移動範囲を制限する。さらに、直径方向に互いに対向するようツールチャックに設けた２個の回転伝達ウェブが、差し込み端部に設けた対応の回転伝達溝に掛合し、接線方向に指向する接触面により回転モーメントを伝達する。この差し込み端部は、元々、ドリル直径に等しい１７ｍｍの直径を有し、６５０Ｗより低い低能率のハンマードリルに配置するものである。このような装置効率‐ツールの組み合わせでは、磨耗の問題は、生じなかった。
【特許文献３】米国特許第４，１０７，９４９号明細書
【発明の開示】
【発明が解決しようとする課題】
【０００５】
要求される効率が増大する手工具装置、とくに、ハンマードリルでは、所定の作動モードでは高い回転モーメントがツールに伝達される。この場合、ハンマードリルの実際の差し込み領域はドリル直径が３０ｍｍにまでなる。１７ｍｍ以上のドリル直径では磨耗の問題、およびツールチャックの損傷の問題が増大することが分かっており、実際回転伝達ウェブの接触面に大きな磨耗を生ずる。現行では硬いハンマードリルを利用することによって、鉄筋補強したドリル孔内でツールがかみ付きを生ずることが増大するようになっている。このとき、ユーザーがハンマードリルを引き抜こうとする際に、ツールには、ロックされたツール装置に高い回転モーメントが生じ、また不意に高い引張力が発生し、これらの作用が錠止体のための空所の収容開口側端縁を介してツールに伝達され、限界を越えると、他方向の応力により、錠止体用空所の収容開口側端縁の近傍で収容スリーブが破壊することになる。
【０００６】
したがって、本発明の目的は、効率の高い手持ちツール装置のツールチャックにおける破損および磨耗を軽減するツールチャックを得るにある。
【課題を解決するための手段】
【０００７】
この目的を達成するため、本発明ツール装置のツールチャックは、案内直径を有する中空シリンダ形状の収容スリーブにおける、直径方向に互いに対向して、半径方向内方に突出し、かつある長さにわたり半径方向に延在する接触面を有する枠縁状の少なくとも２個の回転伝達ウェブと、収容スリーブの少なくとも１個の空所にわたり半径方向に移動自在にした錠止体とを有する該ツールチャックにおいて、前記回転伝達ウェブの収容開口側端部は、空所の収容開口側端縁からの離間距離を有し、この離間距離は、前記案内直径Ｄの１．５倍よりも大きい値としたことを特徴とする。
【発明の効果】
【０００８】
空所の収容開口側端縁から４５゜の範囲にわたる多方向応力発生部分の破壊力学的臨界軸線方向領域は、案内直径の半分の半径ラインの両側に延在する。案内直径に応じてこの臨界的軸線方向領域に対して付加的に存在する回転伝達ウェブの接触面を介して、差し込み端部の限定されたねじれ剛性により少なくとも空所の収容開口側にのみ加わる回転モーメント部分に制限される。したがって、上述の破壊力学的臨界軸線領域は、不可避の僅かな負荷にさらされるだけとなり、所定の耐久期間限度において高い回転モーメントでも破損なく加わえることができる。付加的に延長された回転伝達ウェブの接触面によって、ユーザーの手によってツール装置に加えられる不意の引張荷重を、高い回転モーメントとともに、ツールを破壊することなく安全にツールに伝達することができる。
【発明を実施するための最良の形態】
【０００９】
本発明の好適な実施例においては、回転伝達ウェブの長さを、案内直径の少なくとも３倍とする。この構成によれば、同一断面においてより大きな接触面を実現でき、標準的な荷重（負荷）による面圧を小さくでき、したがって、磨耗を大幅に低減できる。さらに、小さい面圧になることにより、収容スリーブに配置する軸線方向に制限範囲内で移動自在の差し込み端部の摺動摩擦損失を少なくでき、打撃エネルギ伝達を改善できる。
【００１０】
また、本発明の好適な実施例においては、収容スリーブの収容開口側端面から回転伝達ウェブまでの導入距離を、最大でも案内直径の１／２の値とする。この構成によれば、回転モーメントに関与しない収容スリーブの軸線方向の案内長さを制限でき、したがって、ツールチャックを短くできる。
【００１１】
さらに、本発明の好適な実施例においては、回転伝達ウェブの回転方向に指向するすべての接触面の総面積Σを、案内直径の２乗した値と２乗値の半分の値との範囲内の値とする。この構成によれば、ツールチェックに対して、やといさねはぎにおけるようなスチールとスチールとの接触系に推奨される面圧である１００〜１２０ＭＰａの範囲の面圧にすることができる。
【００１２】
次に、図面につき本発明の好適な実施例を説明する。
【実施例１】
【００１３】
図１および図２に示す実施例では、ツール９を回転駆動および打撃駆動する本発明ツール装置１１のツールチャック（収容部）１は、案内直径Ｄを有する中空シリンダ形状の収容スリーブ３において、直径方向に互いに対向して、半径方向内方に高さＨ＝０．１５Ｄだけ突出し、かつ長さＬにわたり半径方向に延在する接触面５を有する枠縁状の２個の回転伝達ウェブ４ａ，４ｂと、収容スリーブ３の空所６にわたり半径方向に移動自在にしたボールの形式の錠止体２とを有する。
【００１４】
回転伝達ウェブ４ａ，４ｂの収容開口側端部は、空所６の収容開口側端縁からの離間距離Ｘを有し、この離間距離Ｘは、案内直径Ｄの２倍に相当する。
【００１５】
回転伝達ウェブ４ａ，４ｂの長さＬを、案内直径Ｄの３倍とし、収容スリーブ３の収容開口側端面から回転伝達ウェブ４ａ，４ｂまでの導入距離Ｙを、案内直径Ｄの１／５とする。このとき、回転伝達ウェブ４ａ，４ｂの回転方向ωに指向するすべての接触面５の総面積Σは、
Σ＝２ＬＨ＝２（３Ｄ）（０．１５Ｄ）＝０．９Ｄ2 となり、案内直径Ｄの２乗した値と２乗値の半分の値との範囲内の値となる。
【００１６】
回転モーメントＭが５０，０００Ｎｍｍに達する性能の高いツール装置１１の場合、案内直径Ｄ＝１０ｍｍとすると、
面圧Ｐ＝Ｍ／（ＤＬＨ）＝Ｍ／０．４５Ｄ3 ＝１１１ＭＰａ
の値が推奨限界となる。
【００１７】
ツールがかみ付きを起こしたときのような高い回転モーメントが発生する際には、ツール９の差し込み端部１２における限界ねじれ剛性によって、多方向応力発生部分Ｓから収容開口側に延在する接触面長さＫ＝Ｄ＝１０ｍｍを必要とする。
【図面の簡単な説明】
【００１８】
【図１】本発明ツール装置のツールチャックの縦断面図である。
【図２】本発明ツール装置のツールチャックの横断面である。
【符号の説明】
【００１９】
１  ツールチャック（収容部）
２  錠止体（ボール）
３  収容スリーブ
4a,4b 回転伝達ウェブ
５  接触面
６  空所
９  ツール
１１  ツール装置
１２  差し込み端部
【図１】
2006136999.tif 000003
【図２】
2006136999.tif 000004